(57)【要約】【課題】眼幅調整が可能で、ルーペ本体を取り外しうる眼鏡フレームを用いた医療用ルーペを提供する。【解決手段】ルーペ取付用眼鏡フレーム１は、両レンズ枠３内側の、着用者の両眼にそれぞれ対応位置させて設けた支持枠４と、所定の焦点距離を有する拡大レンズ系を内蔵するとともに、前記支持枠４に着脱可能に固定する固定機構５を備えた接眼筒６を有する一対のルーぺ本体７とからなる。前記支持枠４を、前記固定機構５で固定した状態において両ルーペ本体７のそれぞれの光軸がそれらの焦点上で交叉するように構成するとともに、各ルーペ本体７の接眼筒６が支持枠４に沿って水平方向に変位しうるように水平方向に長く形成する。【選択図】　　　　図２
2004053910.tif 000002
【特許請求の範囲】
【請求項１】
眼鏡フレームに、筒体内に拡大レンズ系を有するルーペ本体を取り付けるための支持枠を設けたことを特徴とするルーペ取付用眼鏡フレーム。
【請求項２】
支持枠は、取り付けるルーペ本体が水平方向に変位しうるように水平方向に長く形成するとともに、上下縁の少なくとも一面側を、前記ルーペ本体内の拡大レンズ系の焦点を中心とし、その焦点距離を半径とする円弧を含む曲面にならって形成したことを特徴とする請求項１に記載のルーペ取付用眼鏡フレーム。
【請求項３】
支持枠には、ルーペ本体を取り付けるための嵌合穴を設けた支持板を固定したことを特徴とする請求項１に記載のルーペ取付用眼鏡フレーム。
【請求項４】
眼鏡フレームに設けた一対の支持枠と、所定の焦点距離を有する拡大レンズ系を内蔵するとともに、前記各支持枠に固定機構によって着脱可能に固定した接眼筒を有する一対のルーぺ本体とからなる眼鏡フレームを用いたルーペであって、各支持枠は、各ルーペ本体の接眼筒が水平方向に変位しうるように水平方向に長く形成するとともに、上下縁の少なくとも一面側を、各拡大レンズ系の焦点を中心とし、その焦点距離を半径とする円弧を含む曲面にならって凹状に形成したことを特徴とする眼鏡フレームを用いたルーペ。
【請求項５】
各固定機構は、各ルーペ本体の接眼筒に移動可能に装着し、支持枠の内外面に当接する外側当接部材及び内側当接部材と、ルーペ本体の接眼筒端に装着し、内側当接部材を外側当接部材側に押し付けるようになした固定部材とから構成し、前記固定機構の外側当接部材の、前記支持枠に当接する当接面を前記支持枠の外面の凹状と合致する凸状に形成したことを特徴とする請求項４に記載の眼鏡フレームを用いたルーペ。
【請求項６】
各支持枠の外周における適所に、眼鏡フレームのレンズ係合溝から連続するようレンズ係合溝を設けたことを特徴とする請求項４に記載の眼鏡フレームを用いたルーペ。
【請求項７】
各支持枠を眼鏡フレームと一体的に成形したことを特徴とする請求項４〜請求項６のいずれか１項に記載の眼鏡フレームを用いたルーペ。
【請求項８】
眼鏡フレームに設けた一対の支持枠内にそれぞれ固定した支持板に嵌合穴を設け、これら嵌合穴のそれぞれに、所定の焦点距離を有する拡大レンズ系を内蔵するとともに、接眼筒を有するルーぺ本体を着脱可能に取り付けたことを特徴とする眼鏡フレームを用いたルーペ。
【請求項９】
各支持板の嵌合穴は、各ルーペ本体の接眼筒が水平方向に変位しうるように水平方向に長く形成するとともに、上下縁に対応する各支持板の少なくとも一面側は、各拡大レンズ系の焦点を中心とし、その焦点距離を半径とする円弧を含む曲面にならって形成したことを特徴とする請求項８に記載の眼鏡フレームを用いたルーペ。
【請求項１０】
各支持板は、各支持枠と一体に構成されていることを特徴とする請求項８又は請求項９に記載の眼鏡フレームを用いたルーペ。
【発明の詳細な説明】
【０００１】
【発明が属する技術分野】
本発明は、外科医などが手術の際に使用する医療用ルーペなどの各種ルーペを取り付けるための眼鏡フレーム及びこの眼鏡フレームを用いたルーペに係り、特に、眼鏡フレームにルーペ本体を取り外し可能に固定するものに関する。
【０００２】
【従来の技術】
従来、眼鏡を利用して医療用などのルーペを取り付ける機構としては、レンズを利用したものが知られており、具体的には、一対のルーペ本体を、着用者の眼幅に合わせ、かつレンズ系の光軸がその焦点上で交叉するように、両眼鏡レンズの所定位置に設けた円形の嵌合穴に挿入し、嵌合穴周囲のレンズに移動不能に固定するように構成されていた。
【０００３】
【発明が解決しようとする課題】
上記ルーペは、レンズにルーペ本体に適合した嵌合穴を形成するには特別な技術が必要なため、一般の眼鏡店では加工できないという問題があった。また、ルーペ本体の接眼側を眼鏡レンズに設けた円形の嵌合穴に移動不能に固定するので、眼幅調整ができず、着用者が自身の眼幅や視力に合うようにオーダーメードするしかなく、汎用性に乏しく、高価なものになるという問題があった。本発明は、これらの問題を解消することを課題とし、この課題を解決したルーペ取付用眼鏡フレーム及びこの眼鏡フレームを用いたルーペを提供することを目的とする。
【０００４】
【課題を解決するための手段】
上記目的を達成するために、請求項１に記載の本発明のルーペ取付用眼鏡フレームは、眼鏡フレームに、筒体内に拡大レンズ系を有するルーペ本体を取り付けるための支持枠を設けたことを特徴とするものである。
【０００５】
また、請求項２に記載の本発明のルーペ取付用眼鏡フレームは、前記請求項１に記載の構成に加えて、支持枠は、取り付けるルーペ本体が水平方向に変位しうるように水平方向に長く形成するとともに、上下縁の少なくとも一面側を、前記ルーペ本体内の拡大レンズ系の焦点を中心とし、その焦点距離を半径とする円弧を含む曲面にならって形成したことを特徴とするものである。
【０００６】
また、請求項３に記載の本発明のルーペ取付用眼鏡フレームは、前記請求項１に記載の構成に加えて、支持枠には、ルーペ本体を取り付けるための嵌合穴を設けた支持板を固定したことを特徴とするものである。
【０００７】
また、請求項４に記載の本発明の眼鏡フレームを用いたルーペは、眼鏡フレームに設けた一対の支持枠と、所定の焦点距離を有する拡大レンズ系を内蔵するとともに、前記各支持枠に固定機構によって着脱可能に固定した接眼筒を有する一対のルーぺ本体とからなる眼鏡フレームを用いたルーペであって、各支持枠は、各ルーペ本体の接眼筒が水平方向に変位しうるように水平方向に長く形成するとともに、上下縁の少なくとも一面側を、各拡大レンズ系の焦点を中心とし、その焦点距離を半径とする円弧を含む曲面にならって凹状に形成したことを特徴とするものである。
【０００８】
また、請求項５に記載の本発明の眼鏡フレームを用いたルーペは、請求項４に記載の構成に加えて、各固定機構は、各ルーペ本体の接眼筒に移動可能に装着し、支持枠の内外面に当接する外側当接部材及び内側当接部材と、ルーペ本体の接眼筒端に装着し、内側当接部材を外側当接部材側に押し付けるようになした固定部材とから構成し、前記固定機構の外側当接部材の、前記支持枠に当接する当接面を前記支持枠の外面の凹状と合致する凸状に形成したことを特徴とするものである。
【０００９】
また、請求項６に記載の本発明の眼鏡フレームを用いたルーペは、上記請求項４に記載の構成に加えて、各支持枠の外周における適所に、眼鏡フレームのレンズ係合溝から連続するようレンズ係合溝を設けたことを特徴とするものである。
【００１０】
また、請求項７に記載の本発明の明眼鏡フレームを用いたルーペは、上記請求項４〜請求項６のいずれか１項に記載の構成に加えて、各支持枠を眼鏡フレームと一体的に成形したことを特徴とするものである。
【００１１】
また、請求項８に記載の本発明の眼鏡フレームを用いたルーペは、眼鏡フレームに設けた一対の支持枠内にそれぞれ固定した支持板に嵌合穴を設け、これら嵌合穴のそれぞれに、所定の焦点距離を有する拡大レンズ系を内蔵するとともに、接眼筒を有するルーぺ本体を着脱可能に取り付けたことを特徴とするものである。
【００１２】
また、請求項９に記載の本発明の眼鏡フレームを用いたルーペは、請求項８に記載の構成に加えて、各支持板の嵌合穴は、各ルーペ本体の接眼筒が水平方向に変位しうるように水平方向に長く形成するとともに、上下縁に対応する各支持板の少なくとも一面側は、各拡大レンズ系の焦点を中心とし、その焦点距離を半径とする円弧を含む曲面にならって形成したことを特徴とするものである。
【００１３】
また、請求項１０に記載の本発明の眼鏡フレームを用いたルーペは、請求項８又は請求項９に記載の構成に加えて、各支持板は、各支持枠と一体に構成されていることを特徴とするものである。
【００１４】
【発明の実施の形態】
以下に、本発明の好適な実施形態を添付図面の図１〜図４に基づいて詳細に説明する。ここにおいて、図１はルーペ取付用眼鏡フレームの正面図、図２は一方のルーペ本体を取り外した状態を示すルーペの斜視図、図３はルーペの要部の拡大部分縦断面図、図４は各ルーペ本体と焦点との関係を示す概略的なルーペの平面図である。
【００１５】
図１〜図３に示すように、ルーペ取付用眼鏡フレーム（以下単に眼鏡フレームという）１を用いたルーペ２は、両レンズ枠３の内側にそれぞれ設けた支持枠４と、前記支持枠４に後述する固定機構５で着脱可能に固定する接眼筒６を有する一対のルーぺ本体７とからなる。前記各支持枠４は、眼鏡フレーム製造時に各レンズ枠３と一体的に成形するものである。また、前記ルーペ本体７は、接眼筒６と対物筒８とからなり、所定の焦点距離を有する拡大レンズ系を内蔵するもので、前記接眼筒６と対物筒８との境界部分には段部９を形成する。
【００１６】
図４に示すように、支持枠４の上下縁は、固定機構５で固定した状態の両ルーペ本体７のそれぞれの光軸ａがそれらの焦点Ｆ上で交叉するように、その着用者とは反対側面（以下外面という）を、各拡大レンズ系の焦点Ｆを中心とし、その焦点距離を半径とする円弧を含む曲面ｃにならった凹状のガイド面に形成する。また、この支持枠４は、嵌合状態の接眼筒６が前記支持枠４の内側に沿って水平移動しうるように水平方向に長い長円形に形成する。
【００１７】
図３に示すように、各支持枠４は、固定する各ルーペ本体７の光軸ａが眼鏡レンズ（図示せず）の光軸ｂより２０度ほど下を向くように、全体的に外側に湾曲しているレンズ枠３の中心より下側で、かつ両レンズ枠３のブリッジ側に寄った位置に設け、前記光軸ａが焦点Ｆに向けた着用者の目線に重なるように構成する。なお、一般にレンズ枠３はテンプルと称される耳掛け部１５に対して１０度ほど下に向いて傾斜しているので、支持枠４の上下縁の内側を１０度ほど傾斜するよう削ると、前記光軸ａを前記光軸ｂより２０度程度下に傾斜させるこができる。
【００１８】
図３に示すように、固定機構５は、接眼筒６の対物筒８側に嵌合し、一面は段部９に当接させて、他面は支持枠４の外面に当接する、外側当接部材たるリング状の柔軟材からなる外側スペーサ１０と、接眼筒６の端部側に移動可能に嵌合し、一面は支持枠４の内面に当接して、他面は後述する固定リング１４に当接する内側当接部材たるリング状の柔軟部材からなる内側スペーサ１１と、接眼筒６端の外周に設けた雄螺旋１２に螺合する雌螺旋１３を内周に設け、螺合を深める方向に回転して締めつけることによって、前記外側スペーサ１０の一面を支持枠４の外面に、また内側スペーサ１１の一面を該支持枠４の内面に、それぞれ押し付けるようになした固定部材たる固定リング１４とから構成する。
【００１９】
図１に示すように、レンズ枠３内側に対応する支持枠４の上縁及び外側縁を除いた外周面には、レンズ枠３の内周面に設けたレンズ係合溝１６を連結するように設ける。そして、各レンズ枠３の内周とこれに連続する前記支持枠４の外周に合致するようにレンズ（図示せず）をカットし、前記各レンズ係合溝１６にレンズの外周を係合して眼鏡としても使用しうるように構成する。このレンズ加工及びレンズ係合溝１６への係合は特別な技術を必要とせず、一般の眼鏡店で通常の眼鏡レンズと同様に行うことができる。
【００２０】
以上のように構成したルーペ２は、それぞれの固定機構の固定リング１４を螺合を深める方向に回転して外側スペーサ１０と内側スペーサ１１で支持枠４を挟み込むことによって、支持枠４に各ルーペ本体７を固定して構成する。この固定した各ルーペ本体７は、支持枠４の凹状ガイド面が拡大レンズ系の焦点Ｆを中心とする円弧を含む曲面ｃにならって形成され、各スペーサ１０，１１は柔軟材からなるので、前記ガイド面によって拡大レンズ系の光軸ａの方向が焦点Ｆを向くようにガイドされる（図３参照）。また、前記各固定機構５の固定リング１４を螺合を解く方向に回転して各スペーサ１０，１１を介した支持状態を解放し、各接眼筒６を各支持枠４内で移動させることによって、使用者の眼幅に合わせるように各ルーペ本体７を水平方向に変位することが可能である。
【００２１】
なお、各柔軟材からなるスペーサ１０，１１に代えて、図５（変形例における拡大側面図）、図６（変形例における拡大側面図）に示すような金属などの硬質材製で、支持枠４外面の凹状ガイド面にならった凸状面を有する外側当接リング１０ａと、支持枠４内面の傾斜にならった面を有する内側リング１１ａを用いることもできる。
【００２２】
続いて、添付図面の図７に基づいて本発明の他の実施形態を説明する。ここにおいて、図７は眼鏡フレームの部分を示す正面図である。
【００２３】
この実施形態に係るルーペ５２は、眼鏡フレーム５１の各レンズ枠５３内側に、中心より下側で、かつ両レンズ枠５３のブリッジ側に寄った位置に一体的に成形し、内周に支持板係合溝を形成した支持枠５４と、前記支持板係合溝にその外縁を係合して固定した支持板５５と、この支持板５５に透設したほぼ円形の嵌合穴５６に着脱可能に固定する、前述の実施形態のルーペ本体７と同様に構成したルーペ本体（図示せず）とから構成する。
【００２４】
なお、前記前記支持板５５を、前述の実施形態の支持枠４と同様に、固定機構（図示せず）で固定した状態の両ルーペ本体（図示せず）のそれぞれの光軸がそれらの焦点上で交叉するように、その外面を、各拡大レンズ系の焦点を中心とし、その焦点距離を半径とする円弧を含む曲面にならった凹状のガイド面として形成してもよい。この場合には、この支持板５５に設けた嵌合穴５６は、嵌合状態の接眼筒（図示せず）が前記支持板５５の内外面に沿って水平移動しうるように水平方向に長い長円形に形成する。
【００２５】
また、このルーペ５２の他の構成は、前述の実施形態と同一であるので、その詳細な説明は省略する。
【００２６】
なお、本発明は、上記各実施形態になんら限定されるものではなく、例えば、外側スペーサ１０は、接眼筒６に移動可能に嵌合するほか、接眼筒６と一体的に構成し、内側スペーサ１１のみが接眼筒６に対して移動可能に構成することもできる。また、これら当接部材であるスペーサ１０，１１は、リング状に限らない。さらに、光軸ａの光軸ｂに対する下向き角度は２０度に限らず、ほぼ１５度〜３０度の範囲にある角度であればよい。またさらに、眼鏡フレームは耳掛け部１５を備えないものでもよく、この場合には、使用者の頭部に装着するヘッドバンドなどの適宜な装着部材に眼鏡フレーム１を取り付ければよい。さらにまた、眼鏡フレーム１はレンズ枠３を備えないものでもよい。
【００２７】
【発明の効果】
以上説明したように請求項１に記載の本発明のルーペ取付用眼鏡フレームは、ルーペ本体の取り付けが容易であるうえ、眼鏡レンズ加工及びこの眼鏡レンズの眼鏡フレームへの取り付けは、特別な技術を必要とせず、一般の眼鏡店で通常の眼鏡レンズと同様に行うことができるという効果を奏する。
【００２８】
また、請求項２に記載の本発明のルーペ取付用眼鏡フレームは、請求項１に記載の本発明の効果に加えて、支持枠に取り付けるルーペ本体が水平方向に変位しうるとともに、支持枠の上下縁の少なくとも一面側は、前記ルーペ本体内の拡大レンズ系の焦点を中心とし、その焦点距離を半径とする円弧を含む曲面にならって形成したので、ルーペ本体は常に光軸の方向が焦点を向いたまま、両ルーペ本体の間隔を着用者の眼幅に合わせることが可能であるため、ルーペ本体を用途に合わせて交換することができるという効果を奏する。
【００２９】
また、請求項３に記載の本発明のルーペ取付用眼鏡フレームは、嵌合穴を利用してルーペ本体を取り付け可能であり、さらに、眼鏡フレームと支持板を別途製造し、嵌合孔の位置、凹面形状がそれぞれ異なる支持板を複数作成しておき、これらを適宜選択するようにすれば、ルーペ本体の光軸角度、あるいは着用者の眼幅に合わせることが容易であるうえ、眼鏡フレームはオーダーメードでなくてもよく、大量に生産でき、より安価に製造できるという効果を奏する。
【００３０】
また、請求項４に記載の本発明の眼鏡フレームを用いたルーペは、各固定機構による挟持状態を解除し、各接眼筒を各支持枠内で水平方向に移動させても、各支持枠に各ルーペ本体を固定すれば、前記ルーペ本体は、ガイド面が焦点を中心とする円弧を含む曲面にならった形状に形成されているので、常に光軸の方向が焦点を向き、眼幅調整が可能であるから、ルーペ本体を交換することができ、また、ルーペ本体の接眼側を着用者の眼に近く位置させることが可能なので、広い視野を確保できるという効果を奏する。
【００３１】
また、請求項５に記載の本発明の眼鏡フレームを用いたルーペは、請求項４に記載の発明の効果に加えて、外側当接部材、内側当接部材、固定部材からなる固定機構によって眼鏡フレームにルーペ本体を取り外し可能に固定するので、眼鏡フレームにルーペ本体をより容易かつ確実に固定することができるうえ、外側当接部材の、支持枠に当接する当接面を支持枠の凹状面と合致する凸状に形成したので、確実に光軸の方向が焦点を向くという効果を奏する。
【００３２】
また、請求項６に記載の本発明の眼鏡フレームを用いたルーペは、請求項５に記載の発明の効果に加えて、眼鏡フレームに眼鏡レンズを確実に固定し易いという効果を奏する。
【００３３】
また、請求項７に記載の本発明は、請求項４〜請求項６のいずれか１項に記載の発明の効果に加えて、眼鏡フレームと支持枠を一体的に成形するので、眼鏡フレームの製造が容易であるという効果を奏する。
【００３４】
また、請求項８に記載の本発明は、ルーペ本体の接眼側を着用者の眼に近く位置させることが可能なので、広い視野を確保できるうえ、眼鏡フレームと支持板を別途製造し、嵌合孔の位置、凹面形状がそれぞれ異なる支持板を複数作成しておけば、これらを度適宜選択するようにすることにより、ルーペ本体の光軸角度、あるいは着用者の眼幅に合わせることが容易であるうえ、眼鏡フレームはオーダーメードでなくてもよく、大量に生産でき、より安価に製造できるという効果を奏する。
【００３５】
また、請求項９に記載の本発明は、請求項８に記載の発明の効果に加えて、各固定機構による挟持状態を解除し、各接眼筒を各支持枠内で水平方向に移動させても、各支持枠に各ルーペ本体を固定すれば、前記ルーペ本体は、ガイド面が焦点を中心とする円弧を含む曲面にならった凹面形状に形成されているので、常に光軸の方向が焦点を向き、眼幅調整が可能であるから、眼鏡フレームあるいはルーペ本体を交換することができるという効果を奏する。
【００３６】
また、請求項１０に記載の本発明は、ルーペ本体の接眼側を着用者の眼に近く位置させることが可能なので、広い視野を確保できるうえ、各固定機構による挟持状態を解除し、各接眼筒を各支持枠内で水平方向に移動させても、各支持枠に各ルーペ本体を固定すれば、前記ルーペ本体は、ガイド面が焦点を中心とする円弧を含む曲面にならった凹面形状に形成されているので、常に光軸の方向が焦点を向き、眼幅調整が可能であるから、眼鏡フレームあるいはルーペ本体を交換することができるとともに、各支持板と各支持枠とを一体に構成したので、眼鏡フレームの製造が容易であるという効果を奏する。
【図面の簡単な説明】
【図１】ルーペ取付用眼鏡フレームの正面図。
【図２】一方のルーペ本体を取り外した状態のルーペの斜視図。
【図３】取り付け状態における要部の拡大部分縦断面図。
【図４】各ルーペ本体と焦点との関係を示す概略的な平面図。
【図５】変形例における外側当接リングの拡大側面図。
【図６】変形例における内側当接リングの拡大側面図。
【図７】他の実施形態の眼鏡フレームの部分拡大正面図。
【符号の説明】
ａ　　光軸
ｂ　　光軸
ｃ　　曲面
１　　眼鏡フレーム
２　　ルーペ
３　　レンズ枠
４　　支持枠
５　　固定機構
６　　接眼筒
７　　ルーペ本体
８　　対物筒
９　　段部
１０　外側スペーサ
１１　内側スペーサ
１２　　雄螺旋
１３　　雌螺旋
１４　　固定リング
１５　　耳掛け部
１６　　レンズ係合溝
１０ａ　外側当接リング
１１ａ　内側当接リング
５１　　ルーペ取付用眼鏡フレーム
５２　　ルーペ
５３　　レンズ枠
５４　　支持枠
５５　　支持板
５６　　嵌合穴
【図１】
2004053910.tif 000003
【図２】
2004053910.tif 000004
【図３】
2004053910.tif 000005
【図４】
2004053910.tif 000006
【図５】
2004053910.tif 000007
【図６】
2004053910.tif 000008
【図７】
2004053910.tif 000009